(57)【要約】【課題】  煩雑な設定をすることなく、同じ位置で複数のカメラにより撮影された画像データをそれぞれのカメラに記録する際に、これらの画像データのそれぞれに同じ撮影位置を示す撮影位置情報を記録することができるカメラシステムを提供する。【解決手段】  衛星４ａ，４ｂ，４ｃからの受信データに基づき第１位置情報の測定を行う第１位置情報測定部１０と、前記第１位置情報を外部機器に送信する送信部１２とを備える位置情報測定装置６と、前記第１位置情報を受信する受信部２２ａ，２２ｂ，２２ｃと、被写体を撮像する撮像部２０ａ，２０ｂ，２０ｃと、前記撮像部により撮像された画像に前記第１位置情報を付加して撮影画像データを記録する記録部２４ａ，２４ｂ，２４ｃとを備える複数のカメラ８ａ，８ｂ，８ｃとを備える。【選択図】  図１
2014241529.tif 000002
【特許請求の範囲】
【請求項１】
衛星からの受信データに基づき第１位置情報の測定を行う第１位置情報測定部と、
前記第１位置情報を外部機器に送信する送信部と
を備える位置情報測定装置と、
前記第１位置情報を受信する受信部と、
被写体を撮像する撮像部と、
前記撮像部により撮像された画像に前記第１位置情報を付加して撮影画像データを記録する記録部と
を備える複数のカメラと
を備えることを特徴とするカメラシステム。
【請求項２】
前記カメラは、衛星からの受信データに基づき第２位置情報の算出処理を実行する第２位置情報測定部と、
前記第１位置情報及び前記第２位置情報のうちから、撮影データに付加する位置情報を選択する選択部と
を備えることを特徴とする請求項１記載のカメラシステム。
【請求項３】
前記位置情報測定装置は、前記第１位置情報測定部が衛星からデータを受信する際に用いる周波数と、前記送信部により前記位置情報を送信する際に用いる周波数とを異ならせることを特徴とする請求項１または２記載のカメラシステム。
【請求項４】
前記位置情報を前記撮影データに付加することが可能であることを報知する報知部を備えることを特徴とする請求項１〜３の何れか一項に記載のカメラ。
【請求項５】
衛星からの受信データに基づき第１位置情報の測定を行う第１位置情報測定部と、
被写体を撮像する撮像部と、
前記撮像部により撮像された画像に位置情報を付加して撮影画像データを記録する記録部と、
前記位置情報を外部機器に送信する送信部と
を備えることを特徴とするカメラ。
【請求項６】
外部機器から第２位置情報を受信する受信部と、
前記第１位置情報及び前記第２位置情報のうちから、撮影データに付加する位置情報を選択する選択部と
を備えることを特徴とする請求項５記載のカメラ。
【請求項７】
前記撮影データに付加する前記位置情報が前記第１位置情報であるか、前記第２位置情報であるかを報知する報知部を備えることを特徴とする請求項５または６記載のカメラ。
【請求項８】
前記報知部は、前記撮影データに前記位置情報を付加することが可能であるか否かを報知することを特徴とする請求項７記載のカメラ。
【請求項９】
前記第１位置情報測定部が衛星からデータを受信する際に用いる周波数と、前記送信部により前記位置情報を送信する際に用いる周波数とを異ならせることを特徴とする請求項５〜８の何れか一項に記載のカメラシステム。
【発明の詳細な説明】
【技術分野】
【０００１】
本発明は、カメラシステム及びカメラに関するものである。
【背景技術】
【０００２】
グループ旅行において撮影を行う場合や、短時間に異なる倍率や画角で同一の被写体の撮影を行う場合等、同じ撮影位置において複数のカメラにより撮影を行う場合がある。この場合に、撮影された画像データのＥｘｉｆ形式等のファイルのメタデータに撮影位置の情報（ジオタグ）を記録させる際には、複数のカメラがそれぞれ備えるＧＮＳＳユニット（ＧＰＳユニット）により測定した撮影位置の情報を付加する必要があった。
【０００３】
ここで、ＧＮＳＳユニットの測定精度はそれぞれ異なるため、複数のカメラにより撮影されたそれぞれの画像データには、同じ撮影位置で撮影されたにも関わらず異なる撮影位置の情報が記録される場合があった。
【０００４】
特許文献１には、複数のカメラにより撮影された画像データをサーバに送信し、さらに、ＧＮＳＳ受信機により測定した位置をサーバに送信することにより、サーバにおいて複数のカメラにより撮影された画像データと1台のＧＮＳＳ受信機により測定した位置情報とを対応させることが記載されている。
【先行技術文献】
【特許文献】
【０００５】
【特許文献１】特開２００２−１８３２７４号公報
【発明の概要】
【０００６】
しかし、特許文献１においては、複数のカメラのそれぞれで設定される時刻と、ＧＮＳＳ受信機の時刻とを正確に合わせる必要があり、さらに複数のカメラにより撮影された画像データ及びＧＮＳＳ受信機により測定された位置情報を同一のサーバに送信する必要がある等、煩雑な設定が必要であった。また、特許文献１においては、撮影された画像データを記録する際に、カメラに装着されたメモリカード等の記録媒体に撮影位置の情報を記録することができなかった。
【発明が解決しようとする課題】
【０００７】
本発明の目的は、煩雑な設定をすることなく、同じ位置で複数のカメラにより撮影された画像データをそれぞれのカメラに記録する際に、これらの画像データのそれぞれに同じ撮影位置を示す撮影位置情報を記録することができるカメラシステム及びカメラを提供することである。
【課題を解決するための手段】
【０００８】
本発明のカメラシステムは、衛星からの受信データに基づき第１位置情報の測定を行う第１位置情報測定部と、前記第１位置情報を外部機器に送信する送信部とを備える位置情報測定装置と、前記第１位置情報を受信する受信部と、被写体を撮像する撮像部と、前記撮像部により撮像された画像に前記第１位置情報を付加して撮影画像データを記録する記録部とを備える複数のカメラとを備えることを特徴とする。
【０００９】
また、本発明のカメラは、衛星からの受信データに基づき第１位置情報の測定を行う第１位置情報測定部と、被写体を撮像する撮像部と、前記撮像部により撮像された画像に位置情報を付加して撮影画像データを記録する記録部と、前記位置情報を外部機器に送信する送信部とを備えることを特徴とする。
【発明の効果】
【００１０】
本発明のカメラシステム及びカメラによれば、煩雑な設定をすることなく、同じ位置で複数のカメラにより撮影された画像データをそれぞれのカメラに記録する際に、これらの画像データのそれぞれに同じ撮影位置を示す撮影位置情報を記録することができる。
【図面の簡単な説明】
【００１１】
【図１】第１の実施の形態に係るカメラシステムの全体構成を示す図である。
【図２】第１の実施の形態に係るＧＮＳＳ受信機の表示部及びカメラの表示部を示す図である。
【図３】第２の実施の形態に係るカメラシステムの全体構成を示す図である。
【図４】第２の実施の形態に係るカメラの回路ブロックを示す図である。
【図５】従来のカメラにより撮影された画像データのメタデータに記録した位置情報を地図上に展開した場合の図である。
【図６】第２の実施の形態に係るカメラにより撮影された画像データのメタデータに記録した位置情報を地図上に展開した場合の図である。
【図７】第３の実施の形態に係るカメラを含むカメラシステムの全体構成を示す図である。
【発明を実施するための形態】
【００１２】
以下、図面を参照して本発明の第１の実施の形態に係るカメラシステムについて説明する。図１は、第１の実施の形態に係るカメラシステムの全体構成を示す図である。図１に示すようにカメラシステム２は、複数のＧＮＳＳ（global navigation satellite system）衛星４ａ，４ｂ，４ｃからの受信データを解析し、位置等の情報を取得するＧＮＳＳ受信機６、カメラ８ａ，８ｂ，８ｃを備えている。
【００１３】
ＧＮＳＳ受信機６はＣＰＵ９を備え、ＣＰＵ９には複数のＧＮＳＳ衛星４ａ，４ｂ，４ｃからのデータを受信するとともに、受信したデータを解析し、位置等の情報を取得するＧＮＳＳユニット１０、ＧＮＳＳユニット１０により取得した位置等の情報をカメラ８ａ，８ｂ，８ｃに送信する送信部１２、カメラ８ａ，８ｂ，８ｃとの間の通信設定を行うための操作部１４、カメラ８ａ，８ｂ，８ｃとの間の通信設定に関する情報等を表示する表示部１６が接続されている。
【００１４】
また、カメラ８ａはＣＰＵ１８ａを備え、ＣＰＵ１８ａには、被写体を撮像する撮像素子を含む撮像部２０ａ、ＧＮＳＳ受信機６から無線通信により位置情報を受信する受信部２２ａ、カメラ８ａに装着され撮像部２０ａにより撮像された画像データを記録するメモリカード２４ａ、メモリカード２４ａに記録された画像データに基づく画像、ＧＮＳＳ受信機６と受信部２２ａとの間の通信設定に関する情報、及び撮影に関する種々の情報等を表示する表示部２６ａ、ＧＮＳＳ受信機６との通信の設定等を行う操作部２８ａ、撮影指示を行うレリーズボタン３０ａが接続されている。
【００１５】
また、カメラ８ａと同様に、カメラ８ｂはＣＰＵ１８ｂを備え、ＣＰＵ１８ｂには、撮像部２０ｂ、受信部２２ｂ、メモリカード２４ｂ、表示部２６ｂ、操作部２８ｂ、レリーズボタン３０ｂが接続されている。さらに、カメラ８ａと同様に、カメラ８ｃはＣＰＵ１８ｃを備え、ＣＰＵ１８ｃには、撮像部２０ｃ、受信部２２ｃ、メモリカード２４ｃ、表示部２６ｃ、操作部２８ｃ、レリーズボタン３０ｃが接続されている。
【００１６】
なお、図１において、矢印はＧＮＳＳ衛星４ａ，４ｂ，４ｃからＧＮＳＳ受信機６へ送信されるデータ、ＧＮＳＳ受信機６からカメラ８ａ，８ｂ，８ｃへ送信される位置情報を示している。
【００１７】
次に、第１の実施の形態に係るカメラシステムにおける処理について説明する。ＧＮＳＳ受信機６のＧＮＳＳユニット１０により複数のＧＮＳＳ衛星４ａ，４ｂ，４ｃからのデータを解析し、位置等の情報を取得すると、ＣＰＵ９は送信部１２を介して位置等の情報をＮＭＥＡ形式のデータで外部機器に対して送信する。ここで、送信部１２は、２７ＭＨｚ帯等のラジオコントロール等に用いられる無線通信方式、ｗｉ−ｆｉ方式、ｂｌｕｅｔｏｏｔｈ（登録商標）方式等により位置等の情報をカメラ８ａ，８ｂ，８ｃ等の外部機器に対して送信する。
【００１８】
例えば、２７ＭＨｚ帯や４０ＭＨｚ帯等のラジオコントロール等に用いられる無線通信方式により通信を行う場合には、ＧＮＳＳ受信機６及びカメラ８ａ，８ｂ，８ｃにおいて、計８チャンネルや計１２チャンネルなどの使用可能なチャンネルのうち、使用するチャンネルを予め設定する。ＧＮＳＳ受信機６及びカメラ８ａ，８ｂ，８ｃにおいて設定するチャンネルはそれぞれ同一のチャンネルである。使用するチャンネルを設定することにより混信を防止することができる。
【００１９】
即ち、図２（ａ）に示すようにＧＮＳＳ受信機６の操作部１４を介して送信のために使用するチャンネルを設定する。また、設定したチャンネルは表示部１６に表示される。また、図２（ｂ）に示すようにカメラ８ａの操作部２８ａを介して受信のために使用するチャンネルを設定する。また、設定したチャンネルは表示部２６ａに表示される。図２においては、通信に使用するチャンネルを８ｃｈに設定した場合を示している。
【００２０】
なお、ＧＮＳＳユニット１０は１．５ＧＨｚ帯の周波数を用いてＧＮＳＳ衛星４ａ，４ｂ，４ｃからのデータを受信し、送信部１２は２７ＭＨｚ帯や４０ＭＨｚ帯の周波数を用いて位置情報を外部機器に対して送信する。即ち、ＧＮＳＳ受信機６はＧＮＳＳ衛星４ａ，４ｂ，４ｃからデータを受信する際に用いる周波数と、送信部１２により位置情報を送信する際に用いる周波数とを異ならせる。また、送信部１２により位置情報を送信する際の周波数として低い周波数を用いるため、安価にＧＮＳＳ受信機６及びカメラシステム２を製造することができる。
また、カメラ８ｂ，８ｃにおいても同様に操作部２８ｂ，２８ｃを介して受信のために使用するチャンネルをそれぞれ設定する。
【００２１】
カメラ８ａ，８ｂ，８ｃは、受信部２２ａ，２２ｂ，２２ｃを介して位置等の情報を受信する。カメラ８ａ，８ｂ，８ｃにおいては、レリーズボタン３０ａ，３０ｂ，３０ｃを用いて撮影指示が行われると、ＣＰＵ１８ａ，１８ｂ，１８ｃは、画像データをメモリカード２４ａ，２４ｂ，２４ｃに記録させる。このとき、ＣＰＵ１８ａ，１８ｂ，１８ｃは、受信部２２ａ，２２ｂ，２２ｃを介して受信した位置情報を画像データのＥｘｉｆ形式等のファイルのメタデータとして記録させる。即ち、カメラ８ａ，８ｂ，８ｃにより同じ場所で撮影した画像データのメタデータには、同一の位置情報を記録させることができる。
【００２２】
第１の実施の形態に係るカメラシステムによれば、煩雑な設定をすることなく、同じ位置で複数のカメラにより撮影された画像データをそれぞれのカメラに記録する際に、これらの画像データのそれぞれに同じ撮影位置を示す撮影位置情報を記録することができる。
【００２３】
次に、第２の実施の形態に係るカメラシステムについて説明する。なお、この第２の実施の形態におけるカメラは、第１の実施の形態のカメラ８ａ，８ｂ，８ｃのそれぞれにＧＮＳＳユニットを付加したものである。従って、第１の実施の形態と同一の構成についての詳細な説明は省略し、異なる部分のみについて詳細に説明する。また、第１の実施の形態と同一の構成には同一の符号を付して説明する。
【００２４】
図３は第２の実施の形態に係るカメラシステムの全体構成を示す図である。図３に示すようにカメラシステム２は、ＧＮＳＳ受信機６およびカメラ８ａ，８ｂ，８ｃを備えている。
【００２５】
カメラ８ａはＣＰＵ１８ａを備え、ＣＰＵ１８ａには、撮像部２０ａ、受信部２２ａ、メモリカード２４ａ、表示部２６ａ、操作部２８ａ、レリーズボタン３０ａ、複数のＧＮＳＳ衛星４ａ，４ｂ，４ｃからの信号を解析し、位置等の情報を取得するＧＮＳＳユニット３２ａ、撮像部２０ａにより撮像された画像データのメタデータに、受信部２２ａを介して受信した位置情報とＧＮＳＳユニット３２ａにより取得した位置情報とのうちの何れを記録するかを報知する報知部３４ａが接続されている。ここで、報知部３４ａは、例えばＬＥＤランプ等により構成され、画像データのメタデータに受信部２２ａを介して受信した位置情報を記録する場合とＧＮＳＳユニット３２ａにより取得した位置情報を記録する場合とで、色を異ならせたり、点滅、点灯等のパターンを異ならせたりすることにより、何れの位置情報を画像データのメタデータに記録するかを報知する。なお、ＧＮＳＳユニット３２ａはカメラ８ａに内蔵されたユニットであってもよいし、外付けのユニットであってもよい。
【００２６】
また、カメラ８ａと同様に、カメラ８ｂはＣＰＵ１８ｂを備え、ＣＰＵ１８ｂには、撮像部２０ｂ、受信部２２ｂ、メモリカード２４ｂ、表示部２６ｂ、操作部２８ｂ、レリーズボタン３０ｂ、ＧＮＳＳユニット３２ｂ、報知部３４ｂが接続されている。さらに、カメラ８ａと同様に、カメラ８ｃはＣＰＵ１８ｃを備え、ＣＰＵ１８ｃには、撮像部２０ｃ、受信部２２ｃ、メモリカード２４ｃ、表示部２６ｃ、操作部２８ｃ、レリーズボタン３０ｃ、ＧＮＳＳユニット３２ｃ、報知部３４ｃが接続されている。
【００２７】
なお、ＧＮＳＳユニット３２ｂ，３２ｃはそれぞれカメラ８ｂ，８ｃに内蔵されたユニットであってもよいし、外付けのユニットであってもよい。また、図３において、矢印はＧＮＳＳ衛星４ａ，４ｂ，４ｃからＧＮＳＳ受信機６及びカメラ８ａ，８ｂ，８ｃへ送信されるデータ、ＧＮＳＳ受信機６からカメラ８ａ，８ｂ，８ｃへ送信される位置情報を示しているが、ＧＮＳＳ衛星４ａからカメラ８ｃ、ＧＮＳＳ衛星４ｂからカメラ８ｂ、ＧＮＳＳ衛星４ｃからカメラ８ａへ送信される信号を示す矢印は省略している。
【００２８】
次に、第２の実施の形態に係るカメラシステムの処理について説明する。ＧＮＳＳ受信機６のＧＮＳＳユニット１０は、複数のＧＮＳＳ衛星４ａ，４ｂ，４ｃからの信号を解析し、位置等の情報を取得すると、ＣＰＵ９は送信部１２を介して位置等の情報をＮＭＥＡ形式のデータでカメラ８ａ，８ｂ，８ｃ等の外部機器に対して送信する。
【００２９】
カメラ８ａ，８ｂ，８ｃは、ＧＮＳＳ受信機６により取得した位置等の情報を受信部２２ａ，２２ｂ，２２ｃを介して受信する。また、カメラ８ａ，８ｂ，８ｃのＧＮＳＳユニット３２ａ，３２ｂ，３２ｃは、複数のＧＮＳＳ衛星４ａ，４ｂ，４ｃからの信号を解析し、位置等の情報を取得する。
【００３０】
ここで、受信部２２ａ，２２ｂ，２２ｃを介して受信した位置情報及びＧＮＳＳユニット３２ａ，３２ｂ，３２ｃにより取得した位置情報がある場合には、ＣＰＵ１８ａ，１８ｂ，１８ｃは、画像データのメタデータに記録する位置情報として、受信部２２ａ，２２ｂ，２２ｃを介して受信した位置情報を選択する。
【００３１】
具体的には、例えば、図４に示す回路ブロックにより受信部２２ａ，２２ｂ，２２ｃを介して受信した位置情報を優先して選択する。即ち、回路ブロックには受信部２２ａ，２２ｂ，２２ｃを介して受信した位置情報の信号（以下、「共通ＧＮＳＳ信号」ということがある。）とＧＮＳＳユニット３２ａ，３２ｂ，３２ｃにより取得した位置情報の信号（以下、「衛星ＧＮＳＳ信号」ということがある。）との２つの位置情報の信号が入力され、入力された位置情報の信号は、復調回路にて共通ＧＮＳＳ信号と衛星ＧＮＳＳ信号とに分離される。
【００３２】
ここで、ＧＮＳＳ受信機６からカメラ８ａ，８ｂ，８ｃに送信する信号に所定の信号を付加する等の処理を行うことにより共通ＧＮＳＳ信号と衛星ＧＮＳＳ信号を区別することができる。
【００３３】
その後、ＣＰＵ１８ａ，１８ｂ，１８ｃは分離された位置情報の信号のうち、共通ＧＮＳＳ信号にフラグ信号を立てることにより、最終ＧＮＳＳ信号として共通ＧＮＳＳ信号が出力される。
【００３４】
このとき、報知部３４ａ，３４ｂ,３４ｃにおいては、画像データのメタデータに受信部２２ａ，２２ｂ，２２ｃを介して受信した位置情報を記録する状態であることが報知される。
【００３５】
従って、カメラ８ａ，８ｂ，８ｃのレリーズボタン３０ａ，３０ｂ，３０ｃを用いて撮影指示が行われると、ＣＰＵ１８ａ，１８ｂ，１８ｃは、受信部２２ａ，２２ｂ，２２ｃを介して受信した位置情報を画像データのＥｘｉｆ形式等のファイルのメタデータとして記録させた画像データをメモリカード２４ａ，２４ｂ，２４ｃに記録することができる。即ち、カメラ８ａ，８ｂ，８ｃにより同じ場所で撮影した画像データのメタデータには、同一の位置情報を記録させることができる。
【００３６】
例えば、カメラ８ａ，８ｂ，８ｃが備えるそれぞれのＧＮＳＳユニット３２ａ，３２ｂ３２ｃにより取得した位置情報を用いて画像データのメタデータに撮影位置の情報を記録させた画像データをメモリカード２４ａ，２４ｂ，２４ｃに記録した場合に、それぞれの位置情報を地図上に展開すると図５の旗４０、４２、４４のように表される。即ち、ＧＮＳＳユニットの測定精度はそれぞれ異なるため、複数のカメラにより撮影されたそれぞれの画像データには、同じ撮影位置で撮影されたにも関わらず異なる撮影位置の情報が記録される。
【００３７】
一方、第２の実施の形態のように、受信部２２ａ，２２ｂ，２２ｃを介して受信した位置情報を画像データのメタデータに撮影位置の情報を記録した場合に、それぞれの位置情報を地図上に展開すると、図６の旗４６、４８、５０のように表される。即ち、カメラ８ａ，８ｂ，８ｃにより同じ場所で撮影した画像データのメタデータに同一の位置を示す位置情報が記録されている。なお、実際の撮影位置は、例えば、図５及び図６のピン５２で示す位置である。
【００３８】
第２の実施の形態に係るカメラシステムによれば、煩雑な設定をすることなく、同じ位置で複数のカメラにより撮影された画像データをそれぞれのカメラに記録する際に、これらの画像データのそれぞれに同じ撮影位置を示す撮影位置情報を記録することができる。
【００３９】
次に、本発明の第３の実施の形態に係るカメラについて説明する。なお、この第３の実施の形態におけるカメラは、第２の実施の形態のカメラシステム２におけるＧＮＳＳ受信機６を省略したものである。従って、第２の実施の形態と同一の構成についての詳細な説明は省略し、異なる部分のみについて詳細に説明する。また、第２の実施の形態と同一の構成には同一の符号を付して説明する。
【００４０】
図７は、第３の実施の形態に係るカメラを含むカメラシステム全体構成を示す図である。図７に示すようにカメラシステム２はカメラ８ａ，８ｂ，８ｃを備えている。
【００４１】
カメラ８ａはＣＰＵ１８ａを備え、ＣＰＵ１８ａには、撮像部２０ａ、受信部２２ａ、メモリカード２４ａ、表示部２６ａ、操作部２８ａ、レリーズボタン３０ａ、ＧＮＳＳユニット３２ａ、報知部３４ａ、ＧＮＳＳユニット３２ａにより取得した位置の情報等を外部機器に送信する送信部３６ａが接続されている。なお、操作部２８ａにおいては、受信部２２ａを介して受信した位置情報及びＧＮＳＳユニット３２ａにより取得した位置情報がある場合に、画像データのメタデータに記録する位置情報の選択を行うことができる。
【００４２】
また、カメラ８ａと同様に、カメラ８ｂはＣＰＵ１８ｂを備え、ＣＰＵ１８ｂには、撮像部２０ｂ、受信部２２ｂ、メモリカード２４ｂ、表示部２６ｂ、操作部２８ｂ、レリーズボタン３０ｂ、ＧＮＳＳユニット３２ｂ、報知部３４ｂ、送信部３６ｂが接続されている。さらに、カメラ８ａと同様に、カメラ８ｃはＣＰＵ１８ｃを備え、ＣＰＵ１８ｃには、撮像部２０ｃ、受信部２２ｃ、メモリカード２４ｃ、表示部２６ｃ、操作部２８ｃ、レリーズボタン３０ｃ、ＧＮＳＳユニット３２ｃ、報知部３４ｃ、送信部３６ｂが接続されている。
【００４３】
次に、第３の実施の形態に係るカメラの処理について説明する。この第３の実施の形態においては、カメラ８ａは、ＧＮＳＳユニット３２ａにより位置情報を取得し、ＧＮＳＳユニット３２ａにより取得した位置情報を画像データのメタデータに記録する構成として説明する。また、カメラ８ｂ，８ｃにおいては受信部２２ｂ，２２ｃを介して受信した位置情報及びＧＮＳＳユニット３２ｂ，３２ｃにより取得した位置情報がある場合に受信部２２ｂ，２２ｃを介して受信した位置情報を画像データのメタデータに記録する構成として説明する。即ち、第３の実施の形態においては、位置情報を取得する装置としてカメラ８ａをマスター、カメラ８ｂ，８ｃをスレーブとして用いている。
【００４４】
なお、図３において、矢印はＧＮＳＳ衛星４ａ，４ｂ，４ｃからカメラ８ａ，８ｂ，８ｃへ送信されるデータ、カメラ８ａからカメラ８ｂ，８ｃへ送信される位置情報の信号をそれぞれ示している。
【００４５】
カメラ８ａのＧＮＳＳユニット３２ａは複数のＧＮＳＳ衛星４ａ，４ｂ，４ｃからのデータを解析し、位置等の情報を取得する。カメラ８ａにおいては、レリーズボタン３０ａを用いて撮影指示が行われると、ＣＰＵ１８ａは、画像データをメモリカード２４ａに記録させる。このとき、ＣＰＵ１８ａは、ＧＮＳＳユニット３２ａにより受信した位置情報を画像データのＥｘｉｆ形式等のファイルのメタデータとして記録させる。
また、ＣＰＵ１８ａは送信部３６ａを介して位置等の情報をＮＭＥＡ形式のデータでカメラ８ｂ，８ｃ等の外部機器に対して送信する。
【００４６】
ここで、送信部３６ａは、２７ＭＨｚ帯や４０ＭＨｚ帯等のラジオコントロール等に用いられる無線通信方式、ｗｉ−ｆｉ方式、ｂｌｕｅｔｏｏｔｈ（登録商標）方式等により外部機器に対して位置等の情報をカメラ８ｂ，８ｃ等の外部機器に対して送信する。
【００４７】
また、例えば、２７ＭＨｚ帯や４０ＭＨｚ帯等のラジオコントロール等に用いられる無線通信方式により通信を行う場合には、第１の実施の形態と同様に、カメラ８ａ，８ｂ，８ｃにおいて、計８チャンネルや計１２チャンネルなどの使用可能なチャンネルのうち、使用するチャンネルを予め設定する。カメラ８ａ，８ｂ，８ｃにおいて設定するチャンネルはそれぞれ同一のチャンネルである。使用するチャンネルを設定することにより混信を防止することができる。
【００４８】
カメラ８ｂ，８ｃは、ＧＮＳＳ受信機６により取得した位置等の情報を受信部２２ｂ，２２ｃを介して受信する。また、カメラ８ｂ，８ｃのＧＮＳＳユニット３２ｂ，３２ｃは、複数のＧＮＳＳ衛星４ａ，４ｂ，４ｃからの信号を解析し、位置等の情報を取得する。
【００４９】
ここで、受信部２２ｂ，２２ｃを介して受信した位置情報及びＧＮＳＳユニット３２ｂ，３２ｃにより取得した位置情報がある場合には、ＣＰＵ１８ｂ，１８ｃは、画像データのメタデータに記録する位置情報として、受信部２２ｂ，２２ｃを介して受信した位置情報を選択する。具体的には、図４に示す回路ブロックにより受信部２２ｂ，２２ｃを介して受信した位置情報を優先して選択するが、第２の実施の形態と同様の処理であるため詳細な説明は省略する。
このとき、報知部３４ｂ,３４ｃにおいては、画像データのメタデータに受信部２２ｂ，２２ｃを介して受信した位置情報を記録する状態であることが報知される。
【００５０】
従って、カメラ８ｂ，８ｃのレリーズボタン３０ｂ，３０ｃを用いて撮影指示が行われると、ＣＰＵ１８ｂ，１８ｃは、受信部２２ｂ，２２ｃを介して受信した位置情報を画像データのＥｘｉｆ形式等のファイルのメタデータとして記録させた画像データをメモリカード２４ｂ，２４ｃに記録することができる。即ち、カメラ８ａ，８ｂ，８ｃにより同じ場所で撮影した画像データのメタデータには、同一の位置情報を記録させることができる。
【００５１】
例えば、カメラ８ａ，８ｂ，８ｃが備えるそれぞれのＧＮＳＳユニット３２ａ，３２ｂ３２ｃにより取得した位置情報を画像データのメタデータに記録した場合に、それぞれの位置情報を地図上に展開すると図５の旗４０、４２、４４のように表される。即ち、ＧＮＳＳユニットの測定精度はそれぞれ異なるため、複数のカメラにより撮影されたそれぞれの画像データには、同じ撮影位置で撮影されたにも関わらず異なる撮影位置の情報が記録される。
【００５２】
一方、第３の実施の形態のように、カメラ８ａにおいてはＧＮＳＳユニット３２ａにより取得した位置情報を画像データのメタデータに記録し、カメラ８ｂ，８ｃにおいては受信部２２ｂ，２２ｃを介して受信した位置情報を画像データのメタデータに記録する場合に、それぞれの位置情報を地図上に展開すると、図６の旗４８、５０のように表される。即ち、カメラ８ａ，８ｂ，８ｃにより同じ場所で撮影した画像データのメタデータに同一の位置を示す位置情報が記録されている。なお、実際の撮影位置は、例えば、図５及び図６のピン５２で示す位置である。
【００５３】
第３の実施の形態に係るカメラシステムによれば、煩雑な設定をすることなく、同じ位置で複数のカメラにより撮影された画像データをそれぞれのカメラに記録する際に、これらの画像データのそれぞれに同じ撮影位置を示す撮影位置情報を記録することができる。
【００５４】
なお、上述の各実施の形態においては、３つのＧＮＳＳ衛星４ａ、４ｂ、４ｃからの受信データに基づいて位置情報等を取得する構成としたが、ＧＮＳＳ衛星の数は特に限定されず位置情報を取得することができれば３つ以上の衛星からの受信データに基づいて位置情報を取得する構成としてもよい。
【００５５】
また、上述の第１の実施の形態及び第２の実施の形態においては、カメラシステム２が３台のカメラ８ａ，８ｂ，８ｃを備える構成としたが、カメラシステム２が備えるカメラの数は複数であれば、特に制限されない。
【００５６】
また、上述の第３の実施の形態においては、位置情報を取得する装置としてカメラ８ａをマスター、カメラ８ｂ，８ｃをスレーブとして用いる構成としたが、スレーブとして用いるカメラの数は特に制限されない。
【００５７】
また、上述の第２の実施の形態及び第３の実施の形態においては、報知部３４ａ，３４ｂ，３４ｃは、受信部２２ａ，２２ｂ，２２ｃを介して受信した位置情報とＧＮＳＳユニット３２ａ，３２ｂ，３２ｃにより取得した位置情報とのうちの何れを記録するかを報知する構成としたが、位置情報を記録することができるか否かを報知する構成としてもよい。即ち、位置情報を取得しているか否かを報知する構成としてもよい。
【００５８】
また、上述の第１の実施の形態においては、カメラ８ａ，８ｂ，８ｃは位置情報を画像データのＥｘｉｆ形式等のファイルのメタデータとして記録することができるか否かを報知する報知部をそれぞれ備える構成としてもよい。
【００５９】
また、上述の各実施の形態においては、位置情報を画像データのＥｘｉｆ形式等のファイルのメタデータとして記録する構成としたが、位置情報のログを記録する構成としてもよい。
【００６０】
また、上述の第１の実施の形態及び第２の実施の形態においては、ＧＮＳＳ衛星４ａ，４ｂ，４ｃからのデータに基づいてＧＮＳＳ受信機６により時刻を算出することができる。従って、カメラ８ａ，８ｂ，８ｃのＣＰＵ１８ａ，１８ｂ，１８ｃは、受信部２２ａ，２２ｂ，２２ｃを介して受信した時刻を撮影時刻として画像データのＥｘｉｆ形式等のファイルのメタデータに記録させてもよい。
【００６１】
同様に、第３の実施の形態においては、カメラ８ａのＧＮＳＳユニット３２ａにより算出された時刻を撮影時刻として用いてもよい。即ち、カメラ８ｂ，８ｃのＣＰＵ１８ｂ，１８ｃは、受信部２２ｂ，２２ｃを介して受信した時刻を撮影時刻として画像データのＥｘｉｆ形式等のファイルのメタデータに記録させてもよい。
【符号の説明】
【００６２】
２…カメラシステム、４ａ，４ｂ，４ｃ…ＧＮＳＳ衛星、６…ＧＮＳＳ受信機、８ａ，８ｂ，８ｃ…カメラ、１０…ＧＮＳＳユニット、１２…送信部、２０ａ，２０ｂ，２０ｃ…撮像部、２２ａ，２２ｂ，２２ｃ…受信部、２４ａ，２４ｂ，２４ｃ…メモリカード
【図１】
2014241529.tif 000003
【図２】
2014241529.tif 000004
【図３】
2014241529.tif 000005
【図４】
2014241529.tif 000006
【図５】
2014241529.tif 000007
【図６】
2014241529.tif 000008
【図７】
2014241529.tif 000009